(57)【要約】【課題】ディジタル化に対応、特にディジタルハイビジョン等の高精細映像情報（ディジタルＨＤ映像情報）対応の立体ディジタル映像情報装置を提供する。【解決手段】２系統のディジタル映像信号を加工編集して１つのディジタル映像信号を出力するディジタル編集部２と、前記加工編集されたディジタル信号を符号化及び圧縮して符号化信号を出力する符号部４と、前記符号化信号を伸張及び復号化して前記１つのディジタル映像信号を生成する復号部７と、前記復号化された１つのディジタル映像信号を、偏光角が異なる偏光フィルタに通してスクリーン上１０に２重画像として同期表示する映像表示部８と、スクリーン１０上に同期表示された２重画像を、偏光角が異なる偏光フィルタ１１ａ、１１ｂに通して視認するための視認部１１とを含む。【選択図】      図１
2004363802.tif 000002
【特許請求の範囲】
【請求項１】
２系統のディジタル映像信号を加工編集して１つのディジタル映像信号を出力するディジタル編集部と、
前記加工編集されたディジタル信号を符号化及び圧縮して符号化信号を出力する符号部と、
前記符号化信号を伸張及び復号化して前記１つのディジタル映像信号を生成する復号部と、
前記復号化された１つのディジタル映像信号を、偏光角が異なる偏光フィルタに通してスクリーン上に２重画像として同期表示するディジタル映像表示部と、
前記スクリーン上に同期表示された２重画像を、偏光角が異なる偏光フィルタに通して視認するための視認部とを含むことを特徴とする立体ディジタル映像情報装置。
【請求項２】
前記ディジタル編集部は、２系統のディジタル映像信号をフレーム単位で同期させて当該２系統のディジタル映像信号を縮小することにより１つの画面上に嵌め込むための加工編集を行い、１つのディジタル映像信号を出力することを特徴とする請求項１に記載の立体ディジタル映像情報装置。
【請求項３】
前記符号化部は、前記ディジタル信号をＭＰＥＧ規格に基づいて符号化及び圧縮して符号化信号を出力することを特徴とする請求項１に記載立体ディジタル映像情報装置。
【請求項４】
前記ディジタル映像信号は、ディジタルハイビジョン等の高精細映像情報であり、
前記符号化部は、ＭＰＥＧ規格のうちＭＰ＠ＨＬ規格により符号化及び圧縮して符号化信号を出力することを特徴とする請求項３に記載の立体ディジタル映像情報装置。
【請求項５】
前記復号化部は、前記符号化部からの符号化信号を蓄積し、かつ逐次当該符号化信号を読み出すための記録部を備えていることを特徴とする請求項１に記載の立体ディジタル映像情報装置。
【請求項６】
前記ディジタル映像表示部は、前記偏光フィルタに通したディジタル映像信号を部分的に重ね合わせて２重画像として同期表示することを特徴とする請求項１に記載の立体ディジタル映像情報装置。
【発明の詳細な説明】
【０００１】
【発明の属する技術分野】
本発明は、ディジタル化に対応した立体映像情報装置に関する。
【０００２】
【従来の技術】
映像信号を映像として表示する映像情報装置は、一般的にテレビカメラ等の撮像装置，ＶＴＲ（Ｖｉｄｅｏ  Ｔａｐｅ  Ｒｅｃｏｒｄｅｒ），ＬＤ（Ｌａｓｅｒ  Ｄｉｓｋ）プレーヤ，ＤＶＤ（Ｄｉｇｉｔａｌ  Ｖｅｒｓａｔｉｌｅ  Ｄｉｓｋ）プレーヤ等の映像記録再生装置，パソコン，ワークステーション等のコンピュータ装置からの映像信号を入力として、当該映像信号を再生し、ビデオプロジェクタにより表示するようになっている。
【０００３】
そして、前記映像記情報装置を用いて立体映像表示を行う方式としては、視聴者の両目間に視差のある画像を左右の目に対して独立に表示する方式が基本的なものとして知られている。
【０００４】
この種の立体映像情報装置は、右目（以下、Ｒという）用と左目（以下、Ｌという）用とに視差を設けて同期撮影または制作された２つの同期映像信号を前記映像信号として用い、当該２つの同期映像信号を互いに直交する偏光角をもって偏光させ、Ｒ用とＬ用の２つのビデオプロジェクタから１つのスクリーン上に２重画像として同期表示している。一方、視聴者は、前記２重画像をＲ用とＬ用の偏光フィルタに通して立体映像として視認するようになっている（特許文献１，２）。
【０００５】
ところで、従来の立体映像情報装置は、映像情報としてアナログ信号を取り扱うものが一般的であるが、最近、より高精細で高画質の映像を容易に加工，処理，保存可能とするためにディジタル化が進んでおり、このディジタル化に対応するために、ディジタルハイビジョン等の高精細映像情報（以下、ディジタルＨＤ映像情報という）を用いた立体映像表示が実用化されつつある。
【０００６】
その他の立体映像表示方式として左右独立の画像を提示する方法には、ホログラフを用いた方式，高速で回転する面に映像を投影する方式，画像の手前に置かれたスリット状のパララックスバリアを通して左右独立表示する方式，画像の手前にかまぼこ状のレンチキュラーレンズを介して裸眼立体視する方式等がある。これらの方式は、本発明と直接関係しないので、その説明を省略する。
【０００７】
【発明が解決しようとする課題】
しかしながら、アナログ方式の映像情報装置を用いることにより立体映像情報装置を構成する場合、特にディジタル化や、さらにディジタルハイビジョン等の高精細映像情報（ディジタルＨＤ映像情報）対応とする場合に、立体映像情報表示システムの低価格化を実現するには限界がある。すなわち、立体ディジタル映像情報装置に映像情報を入力するためのＶＴＲ，ＬＤプレーヤ，ＤＶＤプレーヤ等の映像記録再生装置は、ディジタル化、さらにディジタルＨＤ映像情報対応とすることにより、装置単体が高価となる。さらに、立体映像を表示するためには、Ｒ用及びＬ用の二重に装置が必要となることにより、立体映像情報表示システム全体の価格が高騰することとなる。
【０００８】
また、立体映像情報表示システム全体の低価格化を目指し、かつ、装置の二重化を避けるために、Ｒ用及びＬ用映像をフィールド毎に交互に切り換えるように事前編集し、一台の映像記録再生装置から切り換えて映像を出力し、一台の映像表示装置にてフィールド単位で切り換え表示するとともに、この切り換えタイミングに同期して左右交互にＯＮ・ＯＦＦする液晶等の電子シャッターを組み込んだメガネ等を着用し、立体映像を実現するオルタネート方式等も実用化されているが、次の様な問題がある。
【０００９】
すなわち、ディジタル化、さらにディジタルＨＤ映像情報対応として、ＭＰＥＧ２（Ｍｏｖｉｎｇ  Ｐｉｃｔｕｒｅ  Ｅｘｐｅｒｔｓ  Ｇｒｏｕｐ  ２）等の符号化復号化方式による立体映像情報システムを構成する場合、Ｒ用及びＬ用映像を事前編集してフィールド毎に交互に切り換え、一台の映像記録再生装置および一台の映像表示装置にてフィールド切り換え表示しようとすると、原理的に映像品質が劣化することが避けられない（特許文献３）。
【００１０】
そもそもＭＰＥＧ２等の符号化復号化方式の場合、ディジタル映像情報のデータ量を極力少なくするために、映像フィールド毎の相関関係を考慮した差分情報を符号化復号化に利用している。そのため、両眼視差のある、すなわち左右の目にズレがあるＲ用及びＬ用映像を事前編集によりフィールド毎に交互に切り換え、符号化復号化することによりディジタル映像情報を得た場合、一台の映像記録再生装置および一台の映像表示装置で毎フィールド切り換えることができるものの、ＭＰＥＧ２等の符号化復号化方式の場合には、両眼視差のある、すなわち左右のズレがある不連続映像情報に起因して映像フィールド毎の差分情報が非常に大きくなり、フィールド毎に誤差が生じることは避けられない。
【００１１】
この結果、一台の映像表示装置から表示されるフィールド切り換えの左右映像情報は、品質が大きく劣化してしまう。
【００１２】
【特許文献】
特開平７−２８４１２８号公報（特許文献１）
特開平７−２８８８５１号公報（特許文献２）
特開２０００１−９５０１３号（特許文献３）
【００１３】
【発明の目的】
本発明の目的は、ディジタル化に対応、特にディジタルハイビジョン等の高精細映像情報（ディジタルＨＤ映像情報）対応とし、低価格で高精細，高画質の映像を表示する立体ディジタル映像情報装置を提供することにある。
【００１４】
【課題を解決するための手段】
前記目的を達成するため、本発明に係る立体ディジタル映像情報装置は、２系統のディジタル映像信号を加工編集して１つのディジタル信号を出力するディジタル編集部と、前記加工編集されたディジタル信号を符号化及び圧縮して符号化信号を出力する符号部と、前記符号化信号を伸張及び復号化して前記１つのディジタル映像情報を出力する復号部と、前記復号化された１つのディジタル映像信号を、偏光角が異なる偏光フィルタに通してスクリーン上に２重画像として同期表示するディジタル映像表示部と、前記スクリーン上に同期表示された２重画像を、偏光角が異なる偏光フィルタに通して視認するための視認部とを含むという構成を採っている。
【００１５】
本発明によれば、ディジタル編集部は、２系統のディジタル映像信号を加工編集して１つのディジタル信号を出力する。符号部は、前記ディジタル編集部から出力される前記ディジタル信号を符号化及び圧縮して符号化信号を出力する。
【００１６】
一方、復号化部は、前記符号化部から出力される前記符号化信号を伸張及び復号化して前記１つのディジタル映像情報を出力する。ディジタル映像表示部は、前記復号化部により復号化された１つのディジタル映像信号を、偏光角が異なる偏光フィルタに通してスクリーン上に２重画像として同期表示する。視聴者は、偏光角が異なる偏光フィルタを通して前記スクリーン上の２重画像を視認する。
【００１７】
したがって、本発明によれば、２系統のディジタル映像信号を加工編集して１つのディジタル信号を出力するため、２系統のディジタル映像信号の連続性を保持することができる。このため、符号化部による符号化・圧縮の処理と、復号化部による伸張・復号化の処理とを経ることにより、ディジタル信号を生成する際に、通常の連続した映像信号として処理することができる。さらに、映像フィールド毎の差分情報が大きくなることがなく、しかも毎フィールド誤差が生じることがなく、スクリーンに表示される２重画像の画質を向上させることができる。
【００１８】
また本発明において、前記ディジタル編集部は、２系統のディジタル映像信号をフレーム単位で同期させて当該２系統のディジタル映像信号を縮小することにより１つの画面上に嵌め込むための加工編集を行い、１つのディジタル信号を出力するようにしてもよいものである。また、前記符号化部は、前記ディジタル信号をＭＰＥＧ規格に基づいて符号化及び圧縮して符号化信号を出力するようにしてもよいものである。前記ディジタル映像情報がディジタルハイビジョン等の高精細映像情報である場合には、前記符号化部は、ＭＰＥＧ規格のうちＭＰ＠ＨＬ規格により符号化及び圧縮して符号化信号を出力するようにしてもよいものである。
【００１９】
上述したように、２系統のディジタル映像信号をフレーム単位で同期させて当該２系統のディジタル映像信号を縮小することにより１つの画面上に嵌め込むための加工編集を行うことにより、１つのディジタル信号を出力するため、２系統のディジタル映像信号の連続性を保つことができる。このため、前記２系統のディジタル映像信号を符号化部にてＭＰＥＧ規格において符号化及び圧縮して低容量化し、再び復号化部にてＭＰＥＧ規格において伸張及び復号化することにより、２系統のディジタル映像信号を生成する際に、通常の連続映像信号として処理することができる。
【００２０】
また、前記復号化部は、前記符号化部からの符号化信号を蓄積し、かつ逐次当該符号化信号を読み出すための記録部を備えるようにしてもよいものである。このようにすれば、予めディジタル映像信号を複合化部の記録部に蓄積して置き、その中からディジタル映像信号を選択して生成することができる。
【００２１】
また、前記ディジタル映像表示部は、前記偏光フィルタに通したディジタル信号を部分的に重ね合わせて２重画像として同期表示するようにしてもよいものである。このようにすることにより、確実に立体画像として視認することができる。
【００２２】
以上のように本発明によれば、立体映像情報表示システム全体をディジタル化し、特にディジタルハイビジョン等の高精細映像情報（ディジタルＨＤ映像情報）対応とする場合でも、システムの複雑化や高価格化を避けることができる。このため、立体映像情報表示システム全体としての信頼性を高め、低価格で、高精細，高画質の映像を記録再生，立体表示することができる。
【００２３】
【発明の実施の形態】
以下、図面を参照して本発明の実施形態について説明する。
図１に示すように、本発明に係る立体ディジタル映像情報装置１は、２系統のディジタル映像信号を加工編集して１つのディジタル信号を出力するディジタル編集部２と、前記加工編集された１つのディジタル信号を符号化及び圧縮して符号化信号を出力する符号部（エンコーダ）４と、前記符号化信号を伸張及び復号化して前記１つのディジタル映像信号を生成する復号部（デコーダ）７と、前記復号化された１つのディジタル映像信号を、偏光角が異なる偏光フィルタ９−１，９−２に通してスクリーン１０に２重画像として同期表示する映像表示部８と、前記スクリーン１０上に同期表示された２重画像を、偏光角が異なる偏光フィルタに通して視認するための視認部１１とを含む構成になっている。なお、前記２系統のディジタル映像信号は、視聴者の左と右の目で視認する映像信号を生成するための信号に相当するものである。
【００２４】
前記ディジタル編集部２は、入力側に２系統のディジタル映像信号をそれぞれ系統別に分離して記憶する２つのディジタル映像情報記録部３−１，３−２を備えている。当該ディジタル映像情報記録部３−１，３−２は、図示しないディジタルハイビジョン方式のテレビカメラ等の撮像装置，ＶＴＲ，ＬＤプレーヤ，ＤＶＤプレーヤ等の映像記録再生装置，パソコン，ワークステーション等のコンピュータ装置から出力されるディジタル映像信号をフレーム単位で同期させて、右目用（Ｒ）と左目用（Ｌ）との映像信号として記録するようになっている。
【００２５】
また、前記ディジタル編集部２は、出力側にストレージ部３−３を備えている。当該ストレージ部３−３は、ディジタル編集部２が加工編集した１つのディジタル信号を蓄積している。ディジタル編集部２は、ディジタル映像情報記録部３−１，３−２に記憶されているＲ用とＬ用との２系統のディジタル映像信号をフレーム単位で同期させたままで読み出し、これらの２系統のディジタル映像信号を加工編集して１つのディジタル信号を出力するようになっている。その一例として、ディジタル編集部２は、２系統のディジタル映像信号をフレーム単位で同期させて当該２系統のディジタル映像信号を縮小することにより１つの画面上に嵌め込むための加工編集を行い、１つのディジタル信号を出力するようになっている。前記ストレージ部３−３は、前記ディジタル編集部２が加工編集した１つのディジタル信号を記憶する。
【００２６】
尚、以上の段階までの処理作業に用いる機材としてのディジタル編集部２には、既設のディジタルＨＤ編集スタジオ等に設置されているディジタル映像情報を編集するための機材を流用することが可能である。本発明においては、この既設のディジタル映像情報を編集するための機材を利用しており、このディジタル編集部２の構成自体に特徴を有するものではなく、この既設の機材をディジタル編集部２として利用し、２系統のディジタル映像信号を加工編集して１つのディジタル信号を出力する、その一例として、２系統のディジタル映像信号をフレーム単位で同期させて当該２系統のディジタル映像信号を縮小することにより１つの画面に嵌め込むための加工編集を行い、１つのディジタル信号を出力させるという構成に特徴がある。
【００２７】
したがって、高価なディジタルＨＤ−ＶＴＲを複数台用意したり、ディジタル編集部２を設備として購入設置することなく、外部のディジタルＨＤ編集スタジオ等を利用することにより、費用および時間の節約が可能となることは明らかである。
【００２８】
符号化部（エンコーダ）４は、ディジタル編集部２、特に当該ディジタル編集部２のストレージ部３−３に記憶されているディジタル信号を読み出して、当該ディジタル信号を符号化及び圧縮して符号化信号を出力するようになっている。
【００２９】
符号化部４は、ディジタル信号を符号化及び圧縮して符号化信号を出力するにあたって、ストレージ部３−３から読み出したディジタル信号をＭＰＥＧ（Ｍｏｖｉｎｇ  Ｐｉｃｔｕｒｅ  Ｇｒｏｕｐ）規格に基づいて符号化及び圧縮して符号化信号を出力するようになっている。ここに、ＭＰＥＧは、動画・音声圧縮の国際標準方式であり、本発明の符号化部４は、前記ＭＰＥＧ規格として、画像の解像度と符号化レートがＤＶＤやディジタル衛星放送などに適合するＭＰＥＧ２の規格を用い、符号化を行っている。符号化部４は、動き補償予測，ＤＣＴ（離散コサイン変換），量子化という圧縮方法を用いて、ディジタル信号を圧縮している。この場合、ＭＰＥＧ２規格の代表例であるＭＰ＠ＨＬ（メインプロファイル・アット・ハイレベル）等の高精細符号化方法により符号化・圧縮することにより、ディジタル信号の低容量化を図り、１つのディジタル信号を生成するようにしてもよいものである。
【００３０】
復号化部（デコーダ）７は、必要に応じて記憶部５を備えている。当該記憶部５は、ハードディスク等の記憶媒体から構成される複数の記憶回路６を有している。この記憶回路６は、符号化部４から出力されるディジタル信号（例えば数百フレーム以上、数分以上の画像等）を記憶するために十分な記憶容量（例えば、数ＧＢｙｔｅレベル以上）を有している。この場合、復号化部７は、記憶部５からディジタル信号を読み出し、ＭＰＥＧ規格において伸張・復号化して前記１つのディジタル信号を生成するようになっている。このＭＰＥＧ規格として、符号化にＭＰＥＧ２の規格を用いた場合には、ＭＰＥＧ２の規格により復号化を行い、ＭＰＥＧ２規格の代表例であるＭＰ＠ＨＬ（メインプロファイル・アット・ハイレベル）等の高精細符号化方法を用いた場合には、それに相当するＭＰ＠ＨＬ（メインプロファイル・アット・ハイレベル）等の高精細復号化方法を用いて復号化の処理を行う。
【００３１】
前記記憶回路６は、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）構成とすることにより、冗長性を持たせ、突発的なディスククラッシュ等からデータを保護するようにすることが望ましいものである。
【００３２】
ディジタル映像表示部８は、右目用（Ｒ）と左目用（Ｌ）とのディジタルビデオプロジェクタ８−１，８−２を有している。そして、ディジタル映像表示部８は、これらのビデオプロジェクタ８−１，８−２を使い、復号部７から出力される１つのディジタル信号を、偏光角の異なる偏光フィルタ９−１，９−２に通してスクリーン１０上に２重画像として同期表示するようになっている。ディジタル映像表示部は、前記１つのディジタル信号をスクリーン１０上に重ねる際に、両眼視差をもつように部分的に重ねて２重画像として同期表示することが望ましいものである。なお、偏光フィルタ９―１，９−２は、互いに偏光角が９０°異なっている。
【００３３】
なお、ディジタル映像表示部８は、ディジタル信号を拡大して表示する機能を備え、前記１つのディジタル信号を部分的に拡大してスクリーン１０上に表示するようにしてもよいものである。
【００３４】
視認部１１は、スクリーン１０上に同期表示された２重画像を、偏向角の異なる偏光フィルタに通して視認する構成になっている。実施形態では、視認部１１は、視聴者が使用可能なメガネ型に構成されており、視聴者にとって煩わしさがないような構成になっている。したがって、視聴者は、この視認部１１をメガネとして使用し、スクリーン１０上の２重映像を視認部１１に通して視認することにより、スクリーン１０上の２重画像を立体映像として体感することが可能となる。なお、視認部１１の偏光フィルタは、偏光角が互いに９０°異なっている。
【００３５】
次に、図１および図２を参照し、上述した本発明の一実施形態の動作例を説明する。
【００３６】
図１に示すディジタル映像情報記憶部３−１，３−２は、図示しない外部の撮像装置，映像記録再生装置，コンピュータ装置等から出力される、フレーム単位で同期した右目用（Ｒ）と左目用（Ｌ）のディジタル映像信号を記録する。この際、ディジタル映像記憶部３−１，３−２に記録される２系統、すなわち視聴者の右目用（Ｒ）と左目（Ｌ）用とのディジタル映像信号２１−１，２１−２は図２に示すように、両眼に対して視差をもつＲ用とＬ用の映像情報である。
【００３７】
ディジタル編集部２は、前記ディジタル映像情報記憶部３−１，３−２からのＲ用とＬ用の２つの同期したディジタル映像信号２１−１，２１−２を読み出し、これらの２系統のディジタル映像信号２１−１，２１−２を縮小して１つの編集画面上に縮小して嵌め込み、１つのディジタル信号２２に加工編集し、次段のストレージ部３−３に出力する。
【００３８】
この際、ディジタル編集部２により加工編集される１つのディジタル信号２２は図２に示すように、ディジタル映像情報記憶部３−１，３−２から出力される、両眼に対して視差のあるＲ用とＬ用のディジタル映像信号２１−１，２１−２をそれぞれ縮小し、１つの編集画面上に嵌め込まれるが、２系統のディジタル映像信号２１−１，２１−２はフレーム単位で同期がとれた映像情報であるため、加工編集されて一つの編集画面上に嵌め込まれたディジタル映像信号２１−１，２１−２も、左右同期がとれたものとなる。
【００３９】
符号化部４は、前記記憶部３−３から前記加工編集済みのディジタル信号２２を読み出し、ＭＰＥＧ２（ＭＰ＠ＨＬ）等の高精細符号化手法により符号化及び圧縮して符号化信号を生成し、この符号化信号を次段の記憶部５に出力する。この場合、ディジタル信号２２は、符号化及び圧縮されているため、低容量化されている。記録部５は、符号化部４から出力されるデジタル信号を記憶する。
【００４０】
復号化部７は、前記記録部５から、ＭＰＥＧ２（ＭＰ＠ＨＬ）等で圧縮されたディジタル信号（１つのディジタル信号２２に相当する）を伸張及び復号化（デコード）し、１つのディジタル信号（２２）を生成する。そして、復号部７は、この１つのディジタル信号（２２）をディジタル映像表示部８に出力する。
【００４１】
映像表示部８は、復号化部７から復号化された１つのディジタル信号（２２）をＲ用とＬ用とのビデオプロジェクタ８−１，８−２に入力する。２台のディジタルビデオプロジェクタ８−１，８−２は、拡大表示機能を用いて復号部７からの１つのディジタル信号（２２）をそれぞれ左右別々に部分拡大し、２つのディジタル信号（２２−１，２２−２）を生成する。
【００４２】
さらに、２台のディジタルビデオプロジェクタ８−１，８−２は、偏向角が９０°異なる偏光フィルタ９−１，９−２に通すことにより、右目（Ｒ）用のディジタルビデオプロジェクタ８−１からは右上部拡大映像（２２−１）が右目（Ｒ）用に、また左目（Ｌ）用のディジタルビデオプロジェクタ８−２からは左上部拡大映像（２２−２）が左目（Ｌ）用にそれぞれ透過され、偏光される。
【００４３】
ここで、図示した実施形態では図２に示すように、２つの部分拡大映像としてのディジタル信号２２−１，２２−２のうち、一方のディジタル信号２２−１は、１つの画面に嵌め込まれた２つのディジタル信号２１−１，２１−２のうち、右上部分のディジタル信号２１−１相当を拡大したものである。この際、ディジタルビデオプロジェクタ８−１の拡大機能により、左下のＬ型の斜線部は、スクリーン１０上に表示されないこととなる。
【００４４】
また、図示した２つの部分拡大映像としてのディジタル信号２２−１，２２−２のうち、他方のディジタル信号２２−２は、１つの画面に嵌め込まれた２つのディジタル信号２１−１，２１−２のうち、左上部分のディジタル信号２１−２相当を拡大したものである。この際、ディジタルビデオプロジェクタ８−２の拡大機能により、右下の逆Ｌ型の斜線部は、スクリーン１０上に表示されないこととなる。
【００４５】
そして、２台のディジタルビデオプロジェクタ８−１，８−２は、偏光角が９０°異なる偏光フィルタ９−１，９−２に通した２つの右目用と左目用との部分拡大映像としてのディジタル信号２２−１の右半分と、ディジタル信号２２−２の左半分とを部分的に重ねてスクリーン１０上に表示する。スクリーン１０上に２つの右目用と左目用とのディジタル信号２２−１，２２−２が部分的に重ねて表示されると、２つのディジタル信号２２−１，２２−２による映像画面にそれぞれ嵌め込まれた２つのディジタル信号２１−１相当及びディジタル信号２１−２相当が重ねて２重画像２４として同期表示される。２つの部分拡大映像としてのディジタル信号２２−１，２２−２のスクリーン１０上に表示されないＬ字型及び逆Ｌ字型の部分は符号２３を付して示している。
【００４６】
視聴者は、視認部１１に備えられた、偏向角が９０°異なる偏光フィルタ１１ａ，１１ｂを通してスクリーン１０上の２重画像を視認する。視認部１１の偏光フィルタ１１ａ，１１ｂは、左右の目に対応するものであり、かつ偏光角が９０°異なっている。
【００４７】
そのため、右目（Ｒ）用の偏光フィルタ１１ａにてスクリーン１０上の２重画像を見た場合に、右目（Ｒ）用のディジタル映像情報２１−１ａのみを視認することとなる。この場合、右目（Ｒ）用のディジタル映像情報２１−１ａのうち、左目（Ｌ）用のディジタル映像情報２１−２ａと部分的に重なっている部分は、右目（Ｒ）用の偏光フィルタ１１ａにより左目（Ｌ）用のディジタル映像情報２１−２ａが遮蔽されるため、左目（Ｌ）用のディジタル映像情報２１−２ａが視聴者の右目により視認されず、右目（Ｒ）用のディジタル映像情報２１−１ａのみが右目（Ｒ）に視認されることとなる。
【００４８】
また、左目（Ｌ）用の偏光フィルタ１１ｂにてスクリーン１０上の２重画像を見た場合に、左目（Ｌ）用のディジタル映像情報２１−２ａのみを視認することとなる。この場合、左目（Ｌ）用のディジタル映像情報２１−２ａのうち、右目（Ｒ）用のディジタル映像情報２１−１ａと部分的に重なっている部分は、左目（Ｌ）用の偏光フィルタ１１ｂにより右目（Ｒ）用のディジタル映像情報２１−１ａが遮蔽されるため、右目（Ｒ）用のディジタル映像情報２１−１ａが視聴者の左目により視認されず、左目（Ｌ）用のディジタル映像情報２１−２ａのみが左目（Ｌ）に視認されることとなる。
【００４９】
また、右目（Ｒ）用と左目（Ｌ）用のディジタル映像情報２１−１ａと２１−２ａとが左右の目に対して両眼視差を持つようにズレている。従って、視聴者が、このスクリーン１０上に２重画像２４として同期表示されたディジタル映像情報２１−１ａ，２１−２ａを視認することにより、立体映像を体感することが可能となる。
【００５０】
以上、本発明の一実施形態について図面を参照して詳述してきたが、具体的な構成は、この実施形態に限られるものではなく、本発明の要旨を逸脱しない範囲の設計変更等があっても本発明に含まれるので、説明を省略する。
【００５１】
なお、本発明が上記各実施形態に限定されず、本発明の技術的思想の範囲内において、各実施例は適宜変更され得ることは明らかであり、ここでは説明を省略する。
【００５２】
【発明の効果】
以上説明したように本発明によれば、立体映像情報表示システム全体をディジタル化し、特にディジタルハイビジョン等の高精細映像情報（ディジタルＨＤ映像情報）対応とし、低価格で高精細、高画質の映像を記録再生、立体表示可能な、立体ディジタル映像情報装置を提供することができる。
【００５３】
すなわち、従来技術のオルタネート方式等で問題となった、ＭＰＥＧ２等の符号化復号化方式の場合に、両眼視差のある、左右のズレのある不連続映像に起因した映像フィールド毎の差分情報が非常に大きくなり、毎フィールド誤差が生じ、この結果、一台の映像表示装置から表示されるフィールド切替えの左右映像情報の品質が大きく劣化してしまうという問題点を大幅に緩和することができ、したがって、低価格で高精細，高画質の映像を記録再生、立体表示可能な立体ディジタル映像情報装置を提供することができるという効果が得られる。
【図面の簡単な説明】
【図１】本発明の一実施形態に係る立体ディジタル映像情報装置の構成を示すブロック図である。
【図２】本発明の一実施形態におけるディジタル映像情報の処理の流れを示す図である。
【符号の説明】
１  立体ディジタル映像情報装置
２  ディジタル編集部
３−１、３−２  ディジタル映像情報記録部
３−３  ストレージ部
４  符号化部（エンコーダ）
５  記録部
６  記憶回路（ＨＤＤ）
７  復号化部（デコーダ）
８  ディジタル映像表示部
８−１，８−２  ディジタルビデオプロジェクタ
９−１，９−２  偏光フィルタ
１０  スクリーン
１１  視認部
１１ａ，１１ｂ  偏光フィルタ
【図１】
2004363802.tif 000003
【図２】
2004363802.tif 000004